(57)【特許請求の範囲】
【請求項１】
使用者の皮膚に直接密着されて使用される磁気治療シートであって、
シリコーンゴムにより形成されるシート状母材と、
前記シート状母材に埋設される磁性体とを備え、
通気性樹脂材により形成される通気部が、前記シート状母材を貫通して設けられる磁気治療シート。
【請求項２】
前記磁性体が、前記通気部を囲繞するように前記シート状母材に埋設される、請求項１記載の磁気治療シート。
【請求項３】
前記通気性樹脂材が、複数の貫通孔が形成されたメッシュ状を呈する、請求項１または２記載の磁気治療シート。
【請求項４】
前記通気性樹脂材が、発泡樹脂である、請求項１または２記載の磁気治療シート。
【発明の詳細な説明】
【技術分野】
【０００１】
本発明は、使用者の皮膚に密着させて使用される磁気治療シートに関する。
【背景技術】
【０００２】
従来、磁力の効果を利用して、血行を良くし、肩こりや腰痛の症状を緩和するための磁気治療器が広く普及している。そのような磁気治療器の１つとして、たとえば特許文献１には、図５に示されるように、シリコーンゴムからなるシート状母材１０１に複数の磁石１０２が埋設された磁気治療器１００が開示されている。この磁気治療器１００は、母材に密着性を有するシリコーンゴムを使用しているので、接着剤を使用しなくても、人体の皮膚に密着させることができる。
【先行技術文献】
【特許文献】
【０００３】
【特許文献１】登録実用新案第３１８６４９７号公報
【発明の概要】
【発明が解決しようとする課題】
【０００４】
しかしながら、特許文献１の磁気治療器１００は、人体の皮膚との密着性が優れている反面、通気性が劣るため、長時間の使用により皮膚にかゆみやかぶれを生じさせる。そのような問題を解決するために、磁気治療器１００の密着面には通気性を改善するための凹凸が設けられているが、密着性が劣化するだけで、十分な通気性を得ることができない。
【０００５】
本発明は、上述した問題に鑑みなされたもので、通気性に優れた磁気治療シートを提供することを目的とする。
【課題を解決するための手段】
【０００６】
本発明の磁気治療シートは、使用者の皮膚に密着されて使用される磁気治療シートであって、軟質性樹脂材により形成されるシート状母材と、前記シート状母材に埋設される磁性体とを備え、通気性樹脂材により形成される通気部が、前記シート状母材を貫通して設けられることを特徴とする。
【０００７】
また、前記磁性体が、前記通気部を囲繞するように前記シート状母材に埋設されることが好ましい。
【０００８】
また、前記通気性樹脂材が、複数の貫通孔が形成されたメッシュ状を呈することが好ましい。
【０００９】
また、前記通気性樹脂材が、発泡樹脂であることが好ましい。
【発明の効果】
【００１０】
本発明によれば、通気性に優れた磁気治療シートを提供することができる。
【図面の簡単な説明】
【００１１】
【図１】本発明の一実施形態の磁気治療シートの斜視図である。
【図２】（ａ）は、図１の磁気治療シートの上面図であり、（ｂ）は、（ａ）のＡ−Ａ線断面図である。
【図３】本発明の別の実施形態の磁気治療シートの断面図である。
【図４】図１の磁気治療シートを使用者の皮膚に密着させた状態を示しており、（ａ）は、使用者の肩に貼り付けて密着させた状態であり、（ｂ）は、使用者の腕に巻き付けて密着させた状態である。
【図５】従来の磁気治療器の斜視図である。
【発明を実施するための形態】
【００１２】
以下、図面を参照して、本発明の実施形態に係る磁気治療シートについて説明する。ただし、以下で説明する実施形態は、あくまで一例であり、本発明の磁気治療シートは、以下の実施形態に限定されるものではない。
【００１３】
本発明の実施形態に係る磁気治療シート１は、たとえば図４（ａ）および（ｂ）に示されるように、使用者の肩や腕などの皮膚に直接的または間接的に密着されて使用される。磁気治療シート１は、使用者の皮膚に密着されて使用されることにより、使用者の皮膚の表面および皮膚表面近傍の体内に磁場を与え、これらの部位およびその周辺の血行を促進したり、代謝を向上したりするなどの磁気治療効果をもたらす。磁気治療シート１の密着方法は、磁気治療効果が得られる期間にわたって、磁気治療シート１が使用者の皮膚に直接的または間接的に密着されていれば、特に限定されることはなく、たとえば磁気治療シート１自身の粘着力により皮膚に直接密着させる方法（図４（ａ））や、面ファスナーやボタンなどの固定手段Ｆにより固定して皮膚に直接密着させる方法（図４（ｂ））、粘着シートなどの粘着材を介して間接的に皮膚に密着させる方法などを採用することができる。また、磁気治療シート１の密着される皮膚の位置は、磁気治療効果が発揮される位置であれば、肩や腕だけでなく、首、腰、脚など、いかなる位置であってもよい。
【００１４】
磁気治療シート１は、図１に示されるように、軟質性樹脂材により形成されるシート状母材２と、シート状母材２に埋設される磁性体３とを備えている。磁気治療シート１は、シート状母材２に埋設された磁性体３により、使用者の皮膚の表面および皮膚表面近傍の体内に磁気治療効果をもたらす。
【００１５】
シート状母材２は、軟質性樹脂材により形成され、磁性体３が埋設される部材である。シート状母材２は、軟質性樹脂材により形成されることで、使用者の皮膚の形状に応じて変形可能に構成され、使用者の皮膚に直接的または間接的に密着される。
【００１６】
シート状母材２は、本実施形態では、図１に示されるように、全体として、略矩形の板状に形成されている。そして、シート状母材２は、表面積が２５〜１０００ｃｍ2で、厚さが０．１〜１ｃｍの大きさになるように形成されている。ただし、シート状母材２の形状や大きさは、上述した形状および大きさに限定されることはなく、密着されて使用される皮膚の形状および大きさに応じて適宜変更することができる。また、シート状母材２の成形方法は、射出成形や押出成形、注型成形など公知の成形方法を採用することができる。
【００１７】
シート状母材２を形成する軟質性樹脂材としては、シート状母材２が使用者の皮膚の形状に応じて変形可能となるような軟質性を有していれば、特に限定されることはなく、たとえばシリコーンゴム、軟質塩ビ、ポリウレタン、ポリエステル、各種エラストマーなど公知の軟質性の樹脂材料を用いることができる。その中でも、シリコーンゴムは、粘着性を有しているため、磁気治療シート１を皮膚に直接貼り付けて使用する場合に好適に用いられる。
【００１８】
また、シート状母材２には、図１および図２に示されるように、シート状母材２を貫通して通気部４が設けられている。通気部４は、通気性樹脂材により形成され、シート状母材２の厚さ方向で気体を通過させる。なお、本実施形態では、通気部４には、磁性体３が埋設されていない。磁気治療シート１は、シート状母材２を貫通して通気部４が設けられることにより、使用者の皮膚に密着して装着されたときに、皮膚表面における通気性が確保されるので、皮膚の表面温度の上昇が抑制され、皮膚が蒸れることによるかゆみやかぶれの発生が抑制される。さらに、磁気治療シート１は、通気部４を形成する通気性樹脂材により通気性が付与されているので、通気部４を単なる貫通孔とする場合と比べて、通気部４内に適度な空気層が形成されて適度な断熱効果を発揮することにより、過度な冷却が抑制され、磁性体３により血行が良くなった部分が適度な保温状態を維持することができる。特に、過度な冷却が抑制されることにより、通気部４が密着する皮膚の表面のみが通気されて皮膚の蒸れが抑制され、その皮膚の内部の保温状態が維持される。
【００１９】
通気部４に用いられる通気性樹脂材としては、通気部４が密着する皮膚の表面温度の上昇を抑制できるように空気が通過できる通気性を有する樹脂材料であれば、特に限定されることはなく、たとえば、もともと通気性を有している多孔質の樹脂材料を用いることもできるし、通気性を有していない樹脂材料に通気孔を設けた樹脂材料を用いることもできる。通気性樹脂材は、皮膚表面の温度の上昇を抑制できるように空気が通過できる程度の通気性を有していれば、特に限定されることはないが、ＪＩＳ−Ｌ−１０９６に規定される通気度が、０．１ｃｍ3／ｃｍ2・ｓ以上であることが好ましい。通気度が、０．１ｃｍ3／ｃｍ2・ｓより小さいと、表面温度の上昇を抑制する効果が得られない。その一方で、通気度は、過度の冷却を抑制し、適度な保温状態を維持するために、５００ｃｍ3／ｃｍ2・ｓ以下であることが好ましい。
【００２０】
多孔質の樹脂材料としては、たとえばポリウレタン系樹脂、ポリオレフィン系樹脂（特にポリエチレン、ポリプロピレン）、ポリスチレン、エチレン酢酸ビニル共重合体などを挙げることができる。中でも、可撓性を有するポリウレタンフォームやポリエチレンフォームなどの発泡樹脂が、通気性だけでなく適度な保温性を有しているという観点から好適に採用される。また、通気孔が設けられた樹脂材料としては、通気孔を設けることができる樹脂材料であればいかなるものであってもよく、たとえばシリコーンゴム、軟質塩ビ、ポリウレタン、ポリエステル、各種エラストマーなどを挙げることができる。その中でも、シリコーンゴムは、粘着性を有しているため、磁気治療シート１を皮膚に直接貼り付けて使用する場合に好適に用いられる。設けられる通気孔としては、通気部４の厚さ方向に貫通して設けられていれば、その配置や大きさは特に限定されることはないが、たとえば通気性樹脂材が、その全体にわたって略均一に複数の貫通孔が形成されたメッシュ状を呈していることにより、通気部４の領域全体にわたって均一な通気性を付与することができる。
【００２１】
通気部４をシート状母材２に設ける方法としては、特に限定されることはなく、さまざまな方法を採用することができる。たとえば、シート状母材２の軟質性樹脂材と通気部４の通気性樹脂材とで同じ樹脂材料を用いる場合には、シート状母材２を形成する過程において、シート状母材２と通気部４とを一体的に同時に成形することができる。たとえば、シート状母材２と通気部４とを同じシリコーンゴムにより成形する場合において、シート状母材２を成形するための金型に、通気部４の通気孔に対応する部分を設けることにより、シート状母材２および通気部４を一体的に同時に成形することができる。この場合、一工程で磁気治療シート１を作製することができるので、製造コストを削減することができる。また、シート状母材２の軟質性樹脂材と通気部４の通気性樹脂材とで異なる樹脂材料を用いる場合には、通気部４の通気孔に対応する部分を設けた金型を用いて、二色射出成形などによりシート状母材２と通気部４とを一体的に同時に成形することもできるし、貫通孔２１（図１を参照）を設けたシート状母材２と通気部４とを別々に成形して、シート状母材２の貫通孔２１に通気部４を固定することもできる。後者の場合には、たとえばシート状母材２を成形する際に金型により貫通孔２１を設けるか、シート状母材２を成形した後に孔あけ装置などにより貫通孔２１を設けた後、接着剤による接着や加熱による融着などの固定方法により、通気部４を貫通孔２１に固定することができる。
【００２２】
通気部４は、本実施形態では、図１に示されるように、全体として、略矩形の板状で、その表面積が４〜２０ｃｍ2の大きさになるように形成され、シート状母材２の平面内の略中央に設けられている。ただし、通気部４は、通気性樹脂材により形成され、シート状母材２の厚さ方向で気体を通過させることができれば、その形状、大きさおよび設けられる位置は、特に限定されることはなく、必要な通気性に応じて適宜設定することができる。また、通気部４は、本実施形態では、１つのみが設けられているが、２つ以上設けられてもよい。
【００２３】
磁性体３は、使用者の皮膚の表面および皮膚表面近傍の体内に与える磁場を生成する部材である。磁性体３は、図１および図２に示されるように、シート状母材２が使用者の皮膚に密着されたときに、使用者の皮膚の表面から内部に磁力線が延びるように、シート状母材２の内部に埋設される。磁性体３は、本実施形態では、使用者の皮膚側にＳ極またはＮ極が面し、磁性体３の磁極方向がシート状母材２の厚さ方向に対して略平行になるように配置される（図２（ｂ）を参照）。これにより、皮膚表面に対して略垂直な方向に磁力線Ｍが延びるので、皮膚表面から体内のより深くまで磁気が作用することになる。ただし、磁性体３は、磁場を生成することができればよく、たとえば磁性体３の磁極方向は、シート状母材２の厚さ方向に対して傾斜するなど、他の方向を向いていても構わない。
【００２４】
磁性体３は、本実施形態では、図１および図２に示されるように、略円板状の錠剤形状に形成され、シート状母材２の厚さ方向の略中央近傍に配置されている。しかし、磁性体３は、磁場を生成して、使用者の皮膚やその内部に磁力を及ぼすことができれば、その形状や配置は特に限定されることはない。たとえばその形状は、略球形状の粒状やより小さい粉体状であってもよい。またその配置は、シート状母材２の厚さ方向のいずれか一方に偏在していてもよいし、厚さ方向に均一に分散していてもよい。また、磁性体３は、たとえば図３に示された別の実施形態のように、磁性体粉末を混練した磁気ペーストをシート状に形成したものであってもよい。この別の実施形態では、錠剤形状磁性体を用いないため、シート状母材２がより柔軟性に優れ、使用者の皮膚の形状に応じてより変形しやすく、また錠剤形状磁性体が使用者の皮膚にあたる不快感もなく、使用者は磁気治療シート１を快適に使用することができる。
【００２５】
磁性体３のシート状母材２への埋設方法は、特に限定されることはなく、たとえば成形される前の溶融した軟質性樹脂材の中に磁性体３を配置する方法や、接着される前の２つの軟質性樹脂材のシートの間に磁性体３を配置する方法などを採用することができる。
【００２６】
磁性体３の材質としては、特に限定されることはなく、たとえばフェライト、ネオジウム、サマリウムコバルト、ガドリニウム系合金、ランタン系合金などの永久磁石を採用することができる。
【００２７】
磁性体３は、本実施形態では、図１および図２に示されるように、複数設けられ、その複数の磁性体３が、シート状母材２の平面内で通気部４を囲繞するように、シート状母材２に埋設されている。より具体的には、複数の磁性体３は、それぞれの磁性体３から延びる磁力線Ｍが通気部４を通過するように、シート状母材２の平面内における通気部４の周囲に埋設されている。磁気治療シート１では、複数の磁性体３が通気部４を囲繞するように設けられることにより、通気部４が密着する皮膚およびその内部に磁力線Ｍが集中するため、他の部位と比べて、通気部４が密着する皮膚およびその内部の血行がより促進されて、体温がより上昇する。そして、血行がより促進されて、体温がより上昇するこの位置に、通気性樹脂材により形成された通気部４が設けられていることで、皮膚表面の温度の上昇を抑えつつ、皮膚内部を適度な保温状態に維持することができる。なお、磁性体３は、それぞれの磁性体３から延びる磁力線Ｍが通気部４を通過するように、通気部４を取り囲んで配置されていれば、その配置される位置は特に限定されることはなく、たとえば、図１および図２に示される本実施形態のように、複数の磁性体３が非連続的に通気部４の周囲に設けられてもよいし、図３に示される別の実施形態のように、磁性体３が連続的に通気部４の周囲に設けられてもよい。
【００２８】
次に、図４（ａ）および（ｂ）を参照して、磁気治療シート１の使用方法の例について説明する。ただし、本発明の磁気治療シートの使用方法は、以下に例示する使用方法に限定されるものではない。
【００２９】
磁気治療シート１は、たとえば、図４（ａ）に示されるように、使用者の肩Ｓの皮膚に密着されて使用される。磁気治療シート１は、シート状母材２がシリコーンゴムにより形成されている場合には、皮膚に直接貼り付けることができる。磁気治療シート１は、シート状母材２に埋設された磁性体３が生成する磁場により、皮膚およびその内部の血行を促進するなど、肩Ｓに磁気治療効果をもたらす。特に、皮膚に密着された磁気治療シート１の通気部４の周囲に配置されたすべての磁性体３の磁力線が、通気部４を貫通して、通気部４が密着する皮膚およびその内部に作用するので、当該部分の血行がより促進されるなど、より高い磁気治療効果が得られる。それと同時に、通気部４が通気性樹脂材により形成されているので、当該部分における皮膚表面が通気されることにより、皮膚が蒸れてかゆみやかぶれの発生が抑制されるとともに、過度な冷却が抑制されることにより、血行が良くなった内部が適度な保温状態を維持することができる。したがって、かゆみやかぶれの発生が抑制されるとともに、磁気治療効果を持続することができる。
【００３０】
また、磁気治療シート１は、たとえば、図４（ｂ）に示されるように、使用者の腕Ａに巻き付けられ、腕Ａの皮膚に密着されて使用される。このとき、磁気治療シート１は、シート状母材２の両端に設けられた面ファスナーである固定手段Ｆにより磁気治療シート１の端部同士が固定されることにより、腕Ａに巻き付けて固定される。したがって、使用者は、磁気治療シート１を腕Ａの皮膚に容易に密着させることができ、肩Ｓの皮膚に密着されて使用される場合と同様に、上述した磁気治療効果を得ることができる。なお、本使用例では、固定手段Ｆに、面ファスナーが用いられているが、シート状母材２の両端部同士を固定することができれば、ボタンやフックなど他の固定手段を用いることもできる。
【符号の説明】
【００３１】
１  磁気治療シート
２  シート状母材
２１  貫通孔
３  磁性体
４  通気部
Ａ  腕
Ｆ  固定手段
Ｍ  磁力線
Ｓ  肩
【図１】
0006602644.tif 000002
【図２】
0006602644.tif 000003
【図３】
0006602644.tif 000004
【図４】
0006602644.tif 000005
【図５】
0006602644.tif 000006